(57)【要約】【課題】  陳列室の前後面及び側面が開口したオープンショーケースにおいて、側面の開口側の陳列室内の冷却効果を改善し、結露の発生を効果的に解消する。【解決手段】  オープンショーケースは、断熱壁の上方に構成された陳列室の前後面及び側面が開口して成る。陳列室の前後面及び側面の開口上縁及び開口下縁にそれぞれ形成された冷気吐出口及び冷気吸込口と、陳列室下方の断熱壁底面上から陳列室内の中央部を経て上方に渡り構成され、冷気吐出口と冷気吸込口とに連通した冷気ダクトと、陳列室内に架設された棚と、陳列室内中央部の冷気ダクトを内部に構成する背面板に形成され、陳列室の側面の開口に向けて冷気を吐出する背面冷気吐出口とを備える。側面の開口側の陳列室内に架設された側面棚４３Ｂの先端部を、両側部が後退するよう全体に渡って湾曲した形状とする。【選択図】図４
2006250369.tif 000002
【特許請求の範囲】
【請求項１】
断熱壁の上方に構成された陳列室の前後面及び側面が開口して成るオープンショーケースにおいて、
前記陳列室の前後面及び側面の開口上縁及び開口下縁にそれぞれ形成された冷気吐出口及び冷気吸込口と、
前記陳列室下方の前記断熱壁底面上から前記陳列室内の中央部を経て上方に渡り構成され、前記冷気吐出口と冷気吸込口とに連通した冷気ダクトと、
前記陳列室下方の前記冷気ダクト内に配設された冷却器と、
前記冷気吸込口から前記冷気ダクト内に吸い込まれ、前記冷却器と熱交換した冷気を前記陳列室内中央部の冷気ダクトを経て前記冷気吐出口から吐出させるための送風装置と、
前記陳列室内に架設された棚と、
前記陳列室内中央部の冷気ダクトを内部に構成する背面板に形成され、前記陳列室の側面の開口に向けて冷気を吐出する背面冷気吐出口とを備え、
前記側面の開口側の陳列室内に架設された前記棚の先端部を、両側部が後退するよう全体に渡って湾曲した形状としたことを特徴とするオープンショーケース。
【請求項２】
断熱壁の上方に構成された陳列室の前後面及び側面が開口して成るオープンショーケースにおいて、
前記陳列室の前後面及び側面の開口上縁及び開口下縁にそれぞれ形成された冷気吐出口及び冷気吸込口と、
前記陳列室下方の前記断熱壁底面上から前記陳列室内の中央部を経て上方に渡り構成され、前記冷気吐出口と冷気吸込口とに連通した冷気ダクトと、
前記陳列室下方の前記冷気ダクト内に配設された冷却器と、
前記冷気吸込口から前記冷気ダクト内に吸い込まれ、前記冷却器と熱交換した冷気を前記陳列室内中央部の冷気ダクトを経て前記冷気吐出口から吐出させるための送風装置と、
前記陳列室内に架設された板状の棚と、
前記陳列室内中央部の冷気ダクトを内部に構成する背面板に形成され、前記陳列室の側面の開口に向けて冷気を吐出する背面冷気吐出口とを備え、
前記側面の開口側の陳列室内に架設された前記棚先端部に、冷気流通用の透孔を複数形成したことを特徴とするオープンショーケース。
【請求項３】
前記複数の透孔をそれぞれ長孔とし、前記陳列室内中央部側を起点とする放射状に配置したことを特徴とする請求項２のオープンショーケース。
【請求項４】
前記背面冷気吐出口からの冷気吐出量を調整する調整部材を設けたことを特徴とする請求項１、請求項２又は請求項３のオープンショーケース。
【請求項５】
前記背面冷気吐出口が形成された部分の前記背面板を、他の部分よりも凹陥させたことを特徴とする請求項１、請求項２、請求項３又は請求項４のオープンショーケース。
【発明の詳細な説明】
【技術分野】
【０００１】
本発明は、陳列室の前後面及び側面が開口して成るオープンショーケースに関するものである。
【背景技術】
【０００２】
従来よりスーパーマーケットやコンビニエンスストアには陳列室の前面が開口して成るオープンショーケースが設置され、陳列室内において飲料や食品などの商品を冷却しながら陳列販売している（例えば、特許文献１参照）。そして、このようなオープンショーケースは店舗内において二台がそれぞれの背面を突き合わせたかたちで列をつくるように設置されるが、この列の端には陳列室が前後面及び一側面において開口した三面開きのオープンショーケースが設置されていた。また、独立して設置されるオープンショーケースでは、前後面と両側の側面が開口した四面開きのものもある。
【特許文献１】特開平４−３５０４８８号公報
【発明の開示】
【発明が解決しようとする課題】
【０００３】
このように陳列室の前後面及び側面が開いたオープンショーケースでは、例えば上記三面開きのものでは列の端面側（一側面の開口側）にも商品を陳列できることになるので、陳列販売効果が向上するものの、どうしても当該一側面の開口側における冷気エアーカーテンが弱くなり、乱れやすくなるため、当該一側面の開口からの外気侵入が多くなり、他の前後面の開口側の陳列室内に比して冷却効果が低くなって棚に結露が多く発生する問題があった。
【０００４】
本発明は、係る従来の技術的課題を解決するために成されたものであり、陳列室の前後面及び側面が開口したオープンショーケースにおいて、側面の開口側の陳列室内の冷却効果を改善し、結露の発生を効果的に解消することを目的とする。
【課題を解決するための手段】
【０００５】
請求項１の発明のオープンショーケースは、断熱壁の上方に構成された陳列室の前後面及び側面が開口して成るものであって、陳列室の前後面及び側面の開口上縁及び開口下縁にそれぞれ形成された冷気吐出口及び冷気吸込口と、陳列室下方の断熱壁底面上から陳列室内の中央部を経て上方に渡り構成され、冷気吐出口と冷気吸込口とに連通した冷気ダクトと、陳列室下方の冷気ダクト内に配設された冷却器と、冷気吸込口から冷気ダクト内に吸い込まれ、冷却器と熱交換した冷気を陳列室内中央部の冷気ダクトを経て冷気吐出口から吐出させるための送風装置と、陳列室内に架設された棚と、陳列室内中央部の冷気ダクトを内部に構成する背面板に形成され、陳列室の側面の開口に向けて冷気を吐出する背面冷気吐出口とを備え、側面の開口側の陳列室内に架設された棚の先端部を、両側部が後退するよう全体に渡って湾曲した形状としたことを特徴とする。
【０００６】
請求項２の発明のオープンショーケースは、断熱壁の上方に構成された陳列室の前後面及び側面が開口して成るものであって、陳列室の前後面及び側面の開口上縁及び開口下縁にそれぞれ形成された冷気吐出口及び冷気吸込口と、陳列室下方の断熱壁底面上から陳列室内の中央部を経て上方に渡り構成され、冷気吐出口と冷気吸込口とに連通した冷気ダクトと、陳列室下方の冷気ダクト内に配設された冷却器と、冷気吸込口から冷気ダクト内に吸い込まれ、冷却器と熱交換した冷気を陳列室内中央部の冷気ダクトを経て冷気吐出口から吐出させるための送風装置と、陳列室内に架設された板状の棚と、陳列室内中央部の冷気ダクトを内部に構成する背面板に形成され、陳列室の側面の開口に向けて冷気を吐出する背面冷気吐出口とを備え、側面の開口側の陳列室内に架設された棚先端部に、冷気流通用の透孔を複数形成したことを特徴とする。
【０００７】
請求項３の発明のオープンショーケースは、上記において複数の透孔をそれぞれ長孔とし、陳列室内中央部側を起点とする放射状に配置したことを特徴とする。
【０００８】
請求項４の発明のオープンショーケースは、上記各発明において背面冷気吐出口からの冷気吐出量を調整する調整部材を設けたことを特徴とする。
【０００９】
請求項５の発明のオープンショーケースは、上記各発明において背面冷気吐出口が形成された部分の背面板を、他の部分よりも凹陥させたことを特徴とする。
【発明の効果】
【００１０】
本発明によれば、断熱壁の上方に構成された陳列室の前後面及び側面が開口して成るオープンショーケースにおいて、陳列室の前後面及び側面の開口上縁及び開口下縁にそれぞれ形成された冷気吐出口及び冷気吸込口と、陳列室下方の断熱壁底面上から陳列室内の中央部を経て上方に渡り構成され、冷気吐出口と冷気吸込口とに連通した冷気ダクトと、陳列室下方の冷気ダクト内に配設された冷却器と、冷気吸込口から冷気ダクト内に吸い込まれ、冷却器と熱交換した冷気を陳列室内中央部の冷気ダクトを経て冷気吐出口から吐出させるための送風装置と、陳列室内に架設された棚と、陳列室内中央部の冷気ダクトを内部に構成する背面板に形成され、陳列室の側面の開口に向けて冷気を吐出する背面冷気吐出口とを備えているので、開口上縁から吐出される冷気によるエアーカーテンに加え、背面冷気吐出口からも側面の開口側の陳列室内に冷気が吐出されるので、側面の開口側の陳列室内の冷却効果が向上する。
【００１１】
特に、請求項１の発明では側面の開口側の陳列室内に架設された棚の先端部を、両側部が後退するよう全体に渡って湾曲した形状としたので、側面の開口上縁及び下縁に形成された冷気吐出口及び冷気吸込口間に渡って構成されるエアーカーテンが棚によって乱れる不都合を改善でき、外気侵入が抑制される。これにより、側面の開口側の陳列室内の冷却効果を改善し、結露の発生を効果的に解消することができるようになる。
【００１２】
また、請求項２の発明では側面の開口側の陳列室内に架設された板状の棚の先端部に、冷気流通用の透孔を複数形成したので、板状の棚によって阻害される側面の開口側の陳列室内の冷気循環が改善される。更に、背面冷気吐出口から吐出された冷気を透孔から流下させ、エアーカーテン側に向かう量を減らせるので、背面冷気吐出口からの冷気吐出によるエアーカーテンの乱れも改善できる。これにより、側面の開口側の陳列室内の冷却効果を改善し、結露の発生を効果的に解消することができるようになる。
【００１３】
また、請求項３の発明では、上記に加えて複数の透孔をそれぞれ長孔とし、陳列室内中央部側を起点とする放射状に配置したので、この透孔に沿って商品を陳列することで、棚上に容易に商品を放射状に配列することができるようになる。
【００１４】
また、請求項４の発明では、上記各発明に加えて背面冷気吐出口からの冷気吐出量を調整する調整部材を設けたので、陳列室内の負荷や周囲環境条件に応じて背面冷気吐出口からの冷気吐出量を調整できるようになり、側面の開口側の陳列室内をより的確に冷却できるようになる。
【００１５】
また、請求項５の発明では、上記各発明に加えて背面冷気吐出口が形成された部分の背面板を、他の部分よりも凹陥させたので、棚上に陳列された商品によって背面冷気吐出口が塞がれてしまう不都合を未然に回避することができるようになる。
【発明を実施するための最良の形態】
【００１６】
以下、図面に基づき本発明の実施形態を詳述する。
【実施例１】
【００１７】
図１は本発明を適用した実施例のオープンショーケース１の斜視図、図２はオープンショーケース１の透視斜視図、図３はオープンショーケース１の背面図、図４はオープンショーケース１の側面開口７側の陳列室８に架設された側面棚４３Ｂの平面図、図５はオープンショーケース１の縦断正面図、図６はオープンショーケース１の拡大縦断側面図、図７はオープンショーケース１の側面図、図８はオープンショーケース１の側面開口７側の背面板１４の正面図、図９は背面板１４の断面図をそれぞれ示している。
【００１８】
実施例のオープンショーケース１は、スーパーマーケットやコンビニエンスストアなどの店舗に設置されて飲料や食品を冷却しながら陳列販売するためのショーケースであり、全体として上面が開口する断熱壁２とその上方に設けられた天壁３との間に前後面及び一側面（実施例では向かって右側面）の開口４、６、７にて三面が開口した陳列室８が構成されている。断熱壁２は前後面及び一側面において天壁３よりも外側に張り出しており、また、側面開口７の隅角部は湾曲形状とされ、陳列室８の他側面（向かって左側面）は側板９にて閉塞されている。
【００１９】
陳列室８の中央部には、側板９から一側の側面開口７の手前（側面開口７側の陳列室８の背面となる位置）までの範囲で内部中空のダクト部材１１が上下に渡って構成されている。このダクト部材１１は前面開口４側の陳列室８の背面となる背面板１２と、後面開口６側の陳列室８の背面となる背面板１３と、側面開口７側の陳列室８の背面となる背面板１４とにより構成されている。
【００２０】
また、陳列室８の底面には断熱壁２の底面２Ａ上方に間隔を存してデッキパン１６、１７、１８が着脱自在に取り付けられており、デッキパン１６は前面開口４側の陳列室８に、デッキパン１７は後面開口６側の陳列室８に、デッキパン１８は側面開口７側の陳列室８にそれぞれ対応している。そして、前記ダクト部材１１はこのデッキパン１６〜１８から天壁３まで至る寸法で構成されており、各背面板１２、１３、１４の下部１２Ａ、１３Ａ、１４Ａは着脱自在とされている。
【００２１】
そして、このデッキパン１６〜１８と断熱壁２の底面２Ａとの間から前記ダクト部材１１内及び天壁３内には連続した冷気ダクト２１が構成されており、この冷気ダクト２１は陳列室８の前面開口４、後面開口６及び側面開口７の上縁及び下縁にそれぞれ開口形成された前面の冷気吐出口３２、後面の冷気吐出口３３、側面の冷気吐出口３４及び前面の冷気吸込口３６、後面の冷気吸込口３７、側面の冷気吸込口３８に連通している。尚、これら吸込口３６、３７及び３８は側面開口７の隅角部にて突き合い、その部分にはコーナーキャップ９１が取り付けられている。
【００２２】
また、ダクト部材１１の背面板１２及び１３の両側部には上下に渡って棚支柱４１、４１が取り付けられており、この棚支柱４１、４１には透明板材（ガラス或いは硬質樹脂）から構成された商品陳列用の棚４３・・が複数段架設されている。この場合、各段の棚４３は前面開口４側の陳列室８内の前面棚４３Ａと、側面開口７側の陳列室８内の側面棚４３Ｂと、後面開口６側の陳列室８内の後面棚４３Ｃの三部分から構成され、これらが連続するかたちで架設されている。この側面棚４３Ｂの構造については後に詳述する。
【００２３】
そして、陳列室８下方の断熱壁２の底面２Ａ上の冷気ダクト２１内に冷却装置の冷媒回路を構成する冷却器４４が設置されると共に、この冷却器４４の内側（各冷気吸込口３６〜３８と冷却器４４を挟んで反対側）の冷気ダクト２１内には、断熱壁２の前後方向の中央部に送風装置を構成する第１及び第２の送風機４６、４７が設置されている。尚、この場合、各送風機４６、４７はファンケース４８、４９内にそれぞれ設けられている。
【００２４】
また、断熱壁２の下方には機械室５１が構成されており、この機械室５１内には前記冷却器４４と共に冷却装置の冷媒回路を構成する図示しない圧縮機や凝縮器、凝縮器用送風機などが設置されている。５６は機械室５１の前後面及び側面に設けられた通気口を有するパネルである。
【００２５】
尚、ダクト部材１１の側板９側には上下に渡る内部中空の排気ダクト部材５７内に排気ダクト５８が構成されている。この排気ダクト５８の下端は機械室５１内に開口し、上端は天壁３上面にて開口している。また、排気ダクト部材５７は側板９と交熱的に設けられている。ここで、圧縮機や凝縮器からは廃熱が生じ、凝縮器用送風機は運転されて前面のパネル５６から外気を吸引し、後面や側面のパネル５６から排出するが、この排気の一部は排気ダクト５８内を経て天壁３上方に排出される。
【００２６】
これにより、オープンショーケース１に対向して設置された他のオープンショーケースなどの機器にオープンショーケース１からの排気が悪影響を及ぼす不都合を抑制できるようになる。また、温度の高い排気の通過によって排気ダクト部材５７自体も温度上昇するが、この熱は側板９に伝達される。これにより、側板９への結露も抑制若しくは解消されることになる。
【００２７】
また、冷却器４４は図示しない冷媒配管とそれに交熱的に取り付けられた複数の熱交換用のフィン４４Ｆから構成されており、全体としては図２の透視図に示すように、略馬蹄形状（或いはＵ字状）を呈して陳列室８の前面開口４側から側面開口７側を経て後面開口６まで渡って設けられている。即ち、冷却器４４は陳列室８の前面開口４、後面開口６及び側面開口７にそれぞれ対応するかたちで配設されている。
【００２８】
また、冷却器４４の冷媒配管は陳列室８の前面開口４側から側面開口７側を経て後面開口６側まで渡り、更に、後面開口６側から側面開口７側を経て前面開口４側に戻るというかたちで迂回されており、これにより、冷媒が陳列室８の前面開口４側から側面開口７側を経て後面開口６側まで渡り、迂回しながら流れるように構成されている。
【００２９】
一方、背面板１２、１３の一側（向かって右側）は前後方向に斜めに屈曲し、そのまま側面の背面板１４に連続している。そして、この屈曲箇所に対応する位置の背面板１２、１３間には仕切板６１が断熱壁２の底面２Ａから天壁３下面まで渡って設けられており、これによって、冷気ダクト２１は前後面の開口４、６側と側面開口７側とに仕切られている（図５。尚、この図では冷却器４４は示さない）。また、冷気ダクト２１内下部には水平に冷気干渉板６２が取り付けられ、これによって、送風機４６、４７上方の吐出側に高圧室が構成される。また、この冷気干渉板６２より上方の背面板１２、１３間には仕切板６３が上下に渡って設けられ、冷気干渉板６２上方の冷気ダクト２１内を前面開口４側と後面開口６側とに仕切っている。
【００３０】
また、仕切板６１の側面開口７側の冷気ダクト２１上端部は、天壁３内に設けられた図示しない仕切板によって仕切られている。各仕切板は側面冷気吐出口３４及びその前後に連続する前面冷気吐出口３２と後面冷気吐出口３３の端部（隅角部）に向けて放射状に設けられ、これらの冷気吐出口３４、３２、３３に冷気を分配する役割を果たす。
【００３１】
また、前記送風機４６は仕切板６１より側板９側に設置されており、送風機４７は仕切板６１より側面開口７側に設置されている。そして、各送風機４６、４７は運転されると、周囲から冷気を吸い込み、上方に吐出するものである。このとき、デッキパン１６や１７を取り外し、背面板１２、１３の下部１２Ａ、１３Ａを取り外すと、その部分の冷却器４４及び送風機４６は露出する。また、デッキパン１８を取り外し、背面板１４の下部１４Ａを取り外すと、その部分の冷却器４４及び送風機４７は露出する。これにより、ファンケース４８、４９を開けば、送風機４６、４７の交換やメンテナンス、冷却器４４の掃除などを行うことができる。
【００３２】
このような構成で、前記圧縮機が運転されると圧縮機から吐出された高温高圧のガス冷媒は凝縮器で放熱して凝縮し、図示しない減圧装置で減圧された後、冷却器４４の前記冷媒配管に流入する。そして、この冷媒配管中を流れながら冷媒は蒸発し、そのときに冷却作用を発揮する。
【００３３】
このとき、前述の如く冷却器４４は陳列室８の前面開口４、後面開口６及び側面開口７にそれぞれ対応するかたちで配設されており、冷媒配管は陳列室８の前面開口４側から側面開口７側を経て後面開口６側まで渡り、更に、後面開口６側から側面開口７側を経て前面開口４側に戻るというかたちで迂回され、これにより、冷媒が陳列室８の前面開口４側から側面開口７側を経て後面開口６側まで渡り、迂回しながら流れるように構成されている。従って、冷却器４４による冷却作用は陳列室８の前面開口４、後面開口６及び側面開口７に対応する部分で略均等に生じることになる。
【００３４】
そして、送風機４６、４７が運転されると、前後面の冷気吸込口３６、３７から冷気ダクト２１内に吸い込まれた空気が冷却器４４のそれらに対応する部分のフィン４４Ｆ・・と熱交換して冷却され、冷気となって送風機４６、４７に吸い込まれる。そして、上方に吐出されるが、上方には冷気干渉板６２があるために冷気は少許堰き止められるかたちとなり、圧力が上昇してそこが高圧室となる。そして、冷気干渉板６２を経た冷気は仕切板６１の側板９側の仕切板６３の前後を分かれて上昇し、天壁３内を経て前後面の冷気吐出口３２、３３から開口４、６に向けて吐出される。
【００３５】
このように高圧室を構成し、且つ、仕切板６３で前後に分けることにより、冷気は前面開口４側と後面開口６側とで均一に吐出されるようになる。そして、冷気は開口にエアーカーテンを構成した後、前後面の冷気吸込口３６、３７から冷気ダクト２１に吸い込まれる循環を繰り返す。
【００３６】
ここで、陳列室８内中央部の冷気ダクト２１を内部に構成するダクト部材１１の背面板１２、１３（背面板１２は前面開口４側の陳列室８の背面となり、背面板１３は後面開口６側の陳列室８の背面となる）には、比較的大なる寸法の背面冷気吐出口５２・・・が複数形成されている（図３）。この背面冷気吐出口５２は、各段の棚４３上側の空間にそれぞれ対応してそれぞれ複数ずつ、上下に複数段に分けて形成されている。
【００３７】
送風機４６で加速されて冷気ダクト２１内を上昇する冷気の一部は背面冷気吐出口５２から前面開口４側の陳列室８及び後面開口６側の陳列室８の各棚４３上に吐出される。これにより、冷気吐出口３２、３３から吐出される冷気によるエアーカーテンに加え、背面冷気吐出口５２・・からも陳列室８内に冷気を吐出できるので、前面開口４側の陳列室８及び後面開口６側の陳列室８内の温度を均一にすることができるようになる。
【００３８】
ここで、背面冷気吐出口５２の冷気ダクト２１側には背面板１２、１３との間に間隔を存して背面冷気吐出口５２を覆う図示しないカバーが設けられており、このカバーに連通孔が形成され、背面冷気吐出口５２から吐出される冷気の流速を抑えている。これにより、開口４、６に形成されるエアーカーテンに与える悪影響を最小限に抑えている。
【００３９】
一方、側面の冷気吸込口３８から冷気ダクト２１内に吸い込まれた空気は冷却器４４のそれに対応する部分のフィン４４Ｆ・・と熱交換して冷却され、冷気となって送風機４７に吸い込まれる。そして、上方に吐出され、同様に高圧室を構成した後、仕切板６１の側面開口７側の冷気ダクト２１内を上昇し、天壁３内に入る。そこで、冷気は前記仕切板により放射状に分配され、側面冷気吐出口３４及びその前後に連続する前面冷気吐出口３２と後面冷気吐出口３３の端部から開口７やその前後の開口４、６端部に向けて吐出される。
【００４０】
このように冷気を分配することにより、冷気は側面冷気吐出口３４及びその前後に連続する前面冷気吐出口３２と後面冷気吐出口３３の端部から均一に吐出されるようになる。そして、冷気は開口７にエアーカーテンを構成した後、側面冷気吸込口３８から冷気ダクト２１に吸い込まれる循環を繰り返す。
【００４１】
ここで、陳列室８内中央部の冷気ダクト２１を内部に構成するダクト部材１１の背面板１４（背面板１４は側面開口７側の陳列室８の背面となる）にも、背面冷気吐出口６６・・が上下に渡って複数形成されている。そして、送風機４７によって加速され、冷気ダクト２１内を上昇する冷気の一部は、この背面冷気吐出口６６・・・から側面開口７側の陳列室８の棚４３上に吐出される。これにより、冷気吐出口３４から吐出される冷気によるエアーカーテンに加え、背面冷気吐出口６６・・からも陳列室８内に冷気を吐出できるので、陳列室８内の温度を均一にすることができるようになる。
【００４２】
この場合、背面冷気吐出口６６が形成された背面板１４の部分Ｐ（図８、図９）は、その両側の部分よりも凹陥している。これにより、側面棚４３Ｂ上に陳列された商品によって背面冷気吐出口６６が塞がれてしまう不都合が防止され、冷気吐出が安定する。
【００４３】
また、側面開口７側の陳列室８内に架設された側面棚４３Ｂの先端両側角部（図４にＸ２で示す）は所定曲率の円弧形状とされると共に、それらを結ぶ側面棚４３Ｂ先端部Ｘ１は、両側角部Ｘ２側が中央部Ｘ３よりも後退するように全体に渡って湾曲形状とされている。
【００４４】
ここで、側面開口７側の陳列室８は、その前後及び向かって右側の三面が開口しているかたちとなるので、どうしてもその隅角部（コーナーキャップ９１の付近）ではエアーカーテンの勢いも弱くなるが、上述の如く側面棚４３Ｂの先端部Ｘ１を両側角部Ｘ２、Ｘ２が後退するよう全体に渡って湾曲した形状としているので、側面開口７に構成されるエアーカーテンが側面棚４３Ｂによって乱れる不都合を改善でき、外気侵入が抑制される。
【００４５】
また、各側面棚４３Ｂの先端部には冷気流通用の透孔５４・・・が複数形成されている。このように、側面棚４３Ｂの先端部に冷気流通用の透孔５４・・・を複数形成したので、側面開口７側の陳列室８内の冷気はこの透孔５４・・・を通過して流通できる。従って、板状の側面棚４３Ｂによって阻害される側面開口７側の陳列室８内の冷気循環が改善される。また、背面冷気吐出口６６から吐出された冷気は透孔５４・・・から流下するので、エアーカーテン側に向かう量を減らすことができる。これにより、背面冷気吐出口６６からの冷気吐出による側面開口７のエアーカーテンの乱れも改善できるようになり、側面開口７側の陳列室８内の冷却効果を改善し、側面棚４３Ｂ等への結露の発生を効果的に解消することができるようになる。
【実施例２】
【００４６】
尚、図１０に示すように、背面冷気吐出口６６が形成された背面板１４に調整部材５３を取り付けても良い。この調整部材５３は例えば透明アクリル板にて構成され、背面冷気吐出口６６に対応するような複数の孔５３Ａ・・が設けられ、更に、左右に移動自在に取り付けられている。
【００４７】
そして、該調整部材５３の孔５３Ａ・・・が背面冷気吐出口６６・・・に合致した状態では、各背面冷気吐出口６６・・・は全開状態となる（図１０）。その状態から図１１のように調整部材５３を例えば向かって右側に移動させ、孔５３Ａ・・・を背面冷気吐出口６６・・・からずらせば、背面冷気吐出口６６・・・の開口の一部が閉塞されることになる（更に、ずらすことで全閉も可能）。
【００４８】
このような調整部材５３を設けることで、側面開口７側の陳列室８内の商品量（負荷）や周囲環境条件に応じて背面冷気吐出口６６・・からの冷気吐出量を調整できるようになり、側面開口７側の陳列室８内をより的確に冷却できるようになる。
【実施例３】
【００４９】
また、各側面棚４３Ｂの先端部に複数形成される冷気流通用の透孔５４・・・を、図１２の如く長孔としてもよい。この場合、長孔は図１２に示す如く陳列室８内中央部に位置するダクト部材１１側を起点とした放射状を成すように配置する。
【００５０】
このように構成すれば、前述した図４の場合の効果に加え、各透孔５４・・に沿って商品を陳列することで、側面棚４３Ｂ上に容易に商品を放射状に配列することができるようになる効果がある。
【００５１】
尚、実施例では前後面と一側面の合計三面が開口したオープンショーケースで本発明を説明したが、それに限らず、前後面及び両側面の周囲四面全てが開口したオープンショーケースに本発明は有効である。
【００５２】
また、実施例では略馬蹄形状の冷却器４４を用いたが、それに限らず、断熱壁２の底面２Ａ上の冷気ダクト２１内の前面開口４側及び後面開口６側に、側面開口７側まで渡る二つの冷却器を設置し、それらに開口４、６側に設けた送風機から冷気を導入させ、冷却器間からダクト部材１１内の冷気ダクト２１に冷気を吹き出す構成としてもよい。
【図面の簡単な説明】
【００５３】
【図１】本発明を適用した一実施例のオープンショーケースの斜視図である。
【図２】図１のオープンショーケースの透視斜視図である。
【図３】図１のオープンショーケースの背面図である。
【図４】図１のオープンショーケースの側面棚の平面図である。
【図５】図１のオープンショーケースの縦断正面図である。
【図６】図１のオープンショーケースの拡大縦断側面図である。
【図７】図１のオープンショーケースの側面図である。
【図８】図１のオープンショーケースの側面開口の背面板の正面図である。
【図９】図８の背面板の断面図である。
【図１０】本発明の他の実施例のオープンショーケースの側面開口の背面板の正面図である。
【図１１】図１０の背面板のもう一つの正面図である。
【図１２】本発明のもう一つの他の実施例のオープンショーケースの側面棚の平面図である。
【符号の説明】
【００５４】
１  オープンショーケース
２  断熱壁
２Ａ  底面
３  天壁
４  前面開口
６  後面開口
７  側面開口
８  陳列室
９  側板
１１  ダクト部材
１２、１３、１４  背面板
２１  冷気ダクト
３２〜３４  冷気吐出口
３６〜３８  冷気吸込口
４３  棚
４３Ｂ  側面棚
４４  冷却器
４６、４７  送風機
５３  調整部材
５４  透孔
６６  背面冷気吐出口
【図１】
2006250369.tif 000003
【図２】
2006250369.tif 000004
【図３】
2006250369.tif 000005
【図４】
2006250369.tif 000006
【図５】
2006250369.tif 000007
【図６】
2006250369.tif 000008
【図７】
2006250369.tif 000009
【図８】
2006250369.tif 000010
【図９】
2006250369.tif 000011
【図１０】
2006250369.tif 000012
【図１１】
2006250369.tif 000013
【図１２】
2006250369.tif 000014